(57)【特許請求の範囲】
【請求項１】
ガイド軸、スライド上部、スライド下部、及びロック用ネジから構成される外径ネジ型埋込みナット用挿入治具であって、
前記ガイド軸の下端には外径ネジ型埋め込みナットを保持するための第１の雄ネジ、前記ガイド軸の中間には前記ロック用ネジと螺合するための前記第１の雄ネジとは反対方向の第２の雄ネジが形成され、
前記スライド下部の上部は略短円筒状に形成され、前記スライド下部の上端の円周上には前記係合凹部が等間隔で円弧状に２箇所形成され、
前記スライド下部と前記スライド上部は、前記ロック用ネジを内包しながら、螺合して結合し、
前記ロック用ネジの下端には係合凸部が形成されて、前記スライド下部の上端に形成された係合凹部と係合して構成され、
前記第１の雄ネジで保持した前記外径ネジ型埋め込みナットを前記ガイド軸を回転することによって被加工部材にロックし、その後に前記ガイド軸を逆に回転することにより前記外径ネジ型埋め込みナットを抜き戻すことなく前記ロックを解除することを特徴とする外径ネジ型埋込みナット用挿入治具。
【請求項２】
前記ロック用ネジは略円筒状で前記ガイド軸が挿通可能に形成され、前記ロック用ネジの下端の円周上に前記係合凸部が１８０度間隔で下方向に２箇所形成されており、前記係合凸部は下端が半円形であることを特徴とする請求項１に記載の外径ネジ型埋込みナット用挿入治具。
【請求項３】
前記係合凹部の中心角は略９０度であることを特徴とする請求項１または請求項２に記載の外径ネジ型埋込みナット用挿入治具。
【請求項４】
前記係合凹部は締め付ける回転方向に向かって第１の垂直面、第１の水平面、上方向の傾斜面、第２の水平面、上方向の湾曲面及び第２の垂直面から構成されていることを特徴とする請求項１〜３の何れかに記載の外径ネジ型埋込みナット用挿入治具。
【請求項５】
前記第２の水平面と前記湾曲面の周方向の合計の長さは、前記係合凸部の周方向の長さと同じであることを特徴とする請求項４に記載の外径ネジ型埋込みナット用挿入治具。
【発明の詳細な説明】
【技術分野】
【０００１】
本発明は、軽合金・モールド製品等のネジ孔の強化や修正等に使用する外径ネジ型埋込みナットの埋設固定作業のために電動ドライバー装置などに装着して使用する挿入治具に関する。
【背景技術】
【０００２】
従来、外径ネジ型埋込みナットの埋設は、挿入治具の突き当てのあるガイドネジに外径ネジ型埋込みナットを保持して被加工部材に埋設し、埋設の口元をコーキング又は接着を行って固定してからガイドネジを抜き取っていた。
そして、挿入治具のガイドネジに外径ネジ型埋込みナットを固定するためのロック機構としては、従来、突き当て式かロックナット方式しかなく、挿入治具に外径ネジ型埋込みナットがロックされたままロック解除することができずに外径ネジ型埋込みナットをそのまま被加工部材から抜き戻すことが多いという問題があった。
そこで、外径ネジ型埋込みナットを被加工部材に埋設固定した後、抜き戻すことなくロック解除することができる挿入治具が提供されている。
【０００３】
例えば、埋込み治具のロック用スライド部のガイドネジをスライド部から分離し、回転方向に４分の１回転程度の遊びを持たせ軸方向にもロック解除時１ｍｍ程度の遊びが出来る様な変則カップリング機構を組み込む事で、ガイド軸とロック用スライド部外径ツマミを回転する際、外径ツマミの回転を先行することで、埋め込みナットに対する治具のロック或いはロック解除が確実な挿入治具が提供されている（特許文献１を参照）。
【先行技術文献】
【特許文献】
【０００４】
【特許文献１】実用新案登録第３１０８１０２号公報
【発明の概要】
【発明が解決しようとする課題】
【０００５】
しかし、特許文献１記載の考案に係る挿入治具は外径ネジ型埋込みナットを抜き戻すことなくロック解除することを可能にしたものの、ロック作業及びロック解除を手動で行うものであり、また部品点数が多く、その製造に時間とコストがかかるという問題があった。
そこで、本発明は外径ネジ型埋込みナットをロックした後、外径ネジ型埋込みナットを抜き戻すことなくロック解除することを電動ドライバー装置などに装着することによって自動化できる、部品点数が少なく組立てが容易であり低コストで製造が可能な外径ネジ型埋込みナット用挿入治具を提供することを目的とする。
【課題を解決するための手段】
【０００６】
上記の課題を解決するために請求項１記載の発明は、ガイド軸、スライド上部、スライド下部、及びロック用ネジから構成される外径ネジ型埋込みナット用挿入治具であって、前記ガイド軸の下端には外径ネジ型埋め込みナットを保持するための第１の雄ネジ、前記ガイド軸の中間には前記ロック用ネジと螺合するための前記第１の雄ネジとは反対方向の第２の雄ネジが形成され、前記スライド下部と前記スライド上部は、前記ロック用ネジを内包しながら、螺合して結合し、前記ロック用ネジの下端には係合凸部が形成されて、前記スライド下部の上端に形成された係合凹部と係合して構成され、前記第１の雄ネジで保持した前記外径ネジ型埋め込みナットを前記ガイド軸を回転することによって被加工部材にロックし、その後に前記ガイド軸を逆に回転することにより前記外径ネジ型埋め込みナットを抜き戻すことなく前記ロックを解除することを特徴とする。
【０００７】
請求項２記載の発明は、前記ロック用ネジは略円筒状で前記ガイド軸が挿通可能に形成され、前記ロック用ネジの下端の円周上に前記係合凸部が１８０度間隔で下方向に２箇所形成されており、前記係合凸部は下端が半円形であることを特徴とする。
【０００８】
請求項３記載の発明は、前記スライド下部の上部は略短円筒状に形成され、前記スライド下部の上端の円周上には前記係合凹部が等間隔で円弧状に２箇所形成されていることを特徴とする。
【０００９】
請求項４記載の発明は、前記係合凹部の中心角は略９０度であることを特徴とする。
【００１０】
請求項５記載の発明は、前記係合凹部は締め付ける回転方向に向かって第１の垂直面、第１の水平面、上方向の傾斜面、第２の水平面、上方向の湾曲面及び第２の垂直面から構成されていることを特徴とする。
【００１１】
請求項６記載の発明は、前記第２の水平面と前記湾曲面の周方向の合計の長さは、前記係合凸部の周方向の長さと同じであることを特徴とする。
【発明の効果】
【００１２】
第１に、スライド下部の上端にロック用ネジの係合凸部と係合するための係合凹部を形成し、前記係合凹部は締め付ける回転方向に向かって第１の垂直面、第１の水平面、上方向の傾斜面、第２の水平面、上方向の湾曲面及び第２の垂直面から構成されているため、被加工部材に外径ネジ型埋込みナットをロックすること、及びロックした後にガイド軸を逆に抜き取る方向に回転してロック解除することが一層簡単確実になり、外径ネジ型埋込みナットの被加工部材への埋設固定に関する作業性及び信頼性が向上し、電動ドライバー装置などに装着することによって外径ネジ型埋込みナットの被加工部材への埋設固定を自動化することができる。
第２に、本願発明に係る外径ネジ型埋込みナット用挿入治具はガイド軸、スライド下部、スライド上部、及びロック用ネジの４点の部品から構成されているため、部品点数が少なく組立てが容易であり低コストで製造が可能である。
【図面の簡単な説明】
【００１３】
【図１】外径ネジ型埋込みナット用挿入治具の説明図である。
【図２】スライド上部を外した状態の外径ネジ型埋込みナット用挿入治具の説明図である。
【図３】外径ネジ型埋込みナット用挿入治具のスライド下部の正面図である。
【図４】外径ネジ型埋込みナット用挿入治具のスライド下部の斜視図である。
【発明を実施するための形態】
【００１４】
以下、図面を参照しながら、本発明を実施するための形態について詳しく説明する。
【実施例１】
【００１５】
図１は本実施例の外径ネジ型埋込みナット用挿入治具の構造の説明図であり、図２はスライド上部を外した状態の外径ネジ型埋込みナット用挿入治具の説明図である。
本実施例における外径ネジ型埋込みナット用挿入治具は、ガイド軸１０、スライド上部３０、スライド下部２０、及びロック用ネジ４０の４点の部品から構成されている。スライド下部２０とスライド上部３０は、ロック用ネジ４０を内包しながら、螺合して結合している。また、ロック用ネジ４０の下端には係合凸部４１が形成されて、スライド下部２０の上端に形成された係合凹部２２と係合して構成されている。そして、ガイド軸１０の上端部分を電動ドライバー装置などに装着する。
【００１６】
本実施例の外径ネジ型埋込みナット用挿入治具の構造について、さらに詳しく説明する。
ガイド軸１０の下端には被加工部材に埋設固定する外径ネジ型埋め込みナットを保持するための第１の雄ネジ１１が形成され、ガイド軸１０の中間にはロック用ネジ４０と螺合するための第１の雄ネジ１１とは反対方向の第２の雄ネジが形成されている。
そして、第１の雄ネジ１１で保持した外径ネジ型埋め込みナットを、ガイド軸１０を回転することによって軽合金・モールド製品等の被加工部材にロックし、その後にガイド軸１０を逆に回転することにより、第１の雄ネジ１１と第２の雄ネジの作用で埋め込み外径ネジ型埋め込みナットとロック面２１を引き離す力が働き、外径ネジ型埋め込みナットを抜き戻すことなくロックを解除する。なお、第１の雄ネジ１１と第２の雄ネジとは、リード角は同じでも良いがネジのピッチは異なり、有効径はネジを切ることができるようにするため、第２の雄ネジの有効径は第１の雄ネジ１１の有効径より大きくなっている。
【００１７】
略円筒形のスライド上部３０の下端は開口してガイド軸１０上をスライドするスライド下部２０と螺合して結合されており、スライド上部３０の上端は閉口しているが、その中央部分にはガイド軸１０が貫通して自由に回転できる通孔が形成されている。そして、スライド上部３０はスライド下部２０と螺合して結合し、その内部にロック用ネジ４０を内包するように構成され、ガイド軸１０の第２の雄ネジ、ロック用ネジ４０の係合凸部４１、及びスライド下部２０の係合凹部２２によってガイド軸１０の動きが伝達されるようになっている。
そして、スライド下部２０の下端が、外径ネジ型埋め込みナットをロックするためのロック面２１になっていて、ガイド軸１０と同方向に回転することによって、ガイド軸１０の下端の第１の雄ネジ１１によって保持された外径ネジ型埋め込みナットを、その保持位置で被加工部材にロックし、さらにロック後にガイド軸１０がロック時とは反対方向に回転することによって、外径ネジ型埋め込みナットを抜き戻すことなくロック解除する。
なお、電動ドライバー装置などに装着して回転させた場合に、回転時のブレが小さくなるようにスライド下部２０及びスライド上部３０の最大外径はガイド軸１０に比して大きくならないように形成されている。また、スライド下部２０の下端部分が太いと被加工部材のコーナー部分への外径ネジ型埋込みナットの挿入が困難になるので、スライド下部２０の下端の外径が大きくならないように形成されている。スライド下部２０の最大外径部分から最小外径部分までの箇所は、できるだけ強度を維持するために円錐台状に形成されている。また、スライド下部２０とスライド上部の最大外径は同じである。
【００１８】
ロック用ネジ４０は略円筒状でガイド軸１０が挿通可能に形成され、ロック用ネジ４０の下端の円周上に係合凸部４１が１８０度間隔で下方向に２箇所形成されており、係合凸部４１は下端が半円形である。
【００１９】
図３は、外径ネジ型埋込みナット用挿入治具のスライド下部２０の正面図であり、図４は、外径ネジ型埋込みナット用挿入治具のスライド下部２０の斜視図である。
スライド下部２０は、その中心をガイド軸１０が挿通可能に形成されており、係合凹部２２の下の部分の外周面には雄ネジが形成されており、スライド上部３０の下部の内周面に形成された雌ネジと螺合する。
スライド下部２０の上部は略短円筒状に形成され、前記スライド下部２０の上端の円周上には係合凹部２２が等間隔で円弧状に２箇所形成されている。なお、係合凹部２２の周方向長さを弧とし軸を中心としたときの中心角は略９０度である。そして、係合凸部４１と係合凹部２２が係合することによって、ガイド軸１０及びロック用ネジ４０の動きがスライド下部２０及びスライド上部３０へと伝達される。
ロック及びロック後に外径ネジ型埋込みナットを抜き戻すことなくロック解除することを確実にできるようにするため、係合凹部２２は締め付ける回転方向に向かって順に第１の垂直面２３、第１の水平面２４、上方向の傾斜面２５、第２の水平面２６、上方向の四半円形の湾曲面２７及び第２の垂直面２８から構成されている。なお、第２の水平面２６と湾曲面２７の周方向の合計の長さは、係合凸部４１の周方向の長さと同じである。
【００２０】
締め始める前、係合凸部４１は係合凹部２２内の第１の水平面２４の部分に位置しているが、ガイド軸１０を回転して外径ネジ型埋込みナットを被加工部材に締め始めると第１の水平面２４から離れて傾斜面２５、次に第２の水平面２６に当接しながら滑り上がり、第２の垂直面２８に当接して外径ネジ型埋込みナットを被加工部材に完全に埋設固定してロックする。また、係合凸部４１は、ロックしようとする時は係合凹部２２内をスムーズに滑り上がり、ロック解除して外径ネジ型埋込みナットから抜き取ろうとする時は係合凹部２２内をスムーズに滑り下りるように、係合凸部４１の下端は半円形に形成されている。係合凹部２２内の第１の水平面２４の部分は、外径ネジ型埋込みナットを被加工部材に締め始める前、及び締め終わって外径ネジ型埋込みナット用挿入治具を外径ネジ型埋込みナットから抜き取った後などに、係合凸部４１が位置している部分である。
そして、ロック後に外径ネジ型埋込みナットは被加工部材に固定したままにして、ロック解除して外径ネジ型埋込みナット用挿入治具のみを外径ネジ型埋込みナットから抜き取るために、ガイド軸１０をロック時とは逆に回転させると係合凸部４１は係合凹部２２内の第２の垂直面２８から離れ、第２の水平面２６、次に傾斜面２５に当接しながら滑り下りて、再び第１の水平面２４の部分に位置することになる。
【産業上の利用可能性】
【００２１】
本願発明に係る外径ネジ型埋込みナット用挿入治具を電動ドライバー装置などに装着することにより、外径ネジ型埋め込みナットの埋設、ロック作業及びロック解除を自動化することができる。また、この外径ネジ型埋め込みナット用挿入治具は、部品点数が少なく組立てが容易であり、低コストで製造可能である。
【符号の説明】
【００２２】
１０  ガイド軸
１１  第１の雄ネジ
２０  スライド下部
２１  ロック面
２２  係合凹部
２３  第１の垂直面
２４  第１の水平面
２５  傾斜面
２６  第２の水平面
２７  湾曲面
２８  第２の垂直面
３０  スライド上部
４０  ロック用ネジ
４１  係合凸部
【図１】
0006377658.tif 000002
【図２】
0006377658.tif 000003
【図３】
0006377658.tif 000004
【図４】
0006377658.tif 000005